(57)【要約】  【課題】固体高分子型燃料電池の組立時に導電性セパレータ板の誤組み合わせを防止する。  【解決手段】固体高分子膜の両面に触媒層を含む一対の電極をそれぞれ配置してなる電極電解質膜接合体１１と、電極電解質膜接合体１１を挟持する複数種類の導電性セパレータ板１２，１４，１６より成る単位電池を複数積層した構成で、導電性セパレータ板１２，１４の角部にＣカットを施し、導電性セパレータ板１２と１４のＣカットの数を異なるようにすることにより、外観で導電性セパレータ板の種類の違いを識別可能とした。【選択図】図１
2006210211.tif 000002
【特許請求の範囲】
【請求項１】
固体高分子膜の両面に触媒層を含む一対の電極をそれぞれ配置してなる電極電解質膜接合体と、前記電極電解質膜接合体を挟持する複数種類の導電性セパレータ板より成る単位電池を複数積層した構成で、複数種類の前記導電性セパレータ板の外周部形状を、それぞれ異なるようにしたことを特徴とする固体高分子型燃料電池。
【請求項２】
複数種類の前記導電性セパレータ板の角部の形状を、それぞれ異なるようにしたことを特徴とする請求項１に記載の固体高分子型燃料電池。
【請求項３】
前記導電性セパレータ板の角部にＣカットを施し、前記導電性セパレータ板の種類毎にＣカットの数を異なるようにしたことを特徴とする請求項２に記載の固体高分子型燃料電池。
【請求項４】
複数種類の前記導電性セパレータ板の大きさを、それぞれ異なるようにしたことを特徴とする請求項１に記載の固体高分子型燃料電池。
【発明の詳細な説明】
【技術分野】
【０００１】
本発明は、ポータブル電源、電気自動車用電源、家庭内コージェネシステム等に使用する高分子電解質を用いた燃料電池に関するものである。
【背景技術】
【０００２】
従来、この種の固体高分子型燃料電池は、小型軽量で出力密度が高く、しかも構造が簡単なことから注目されている（例えば、特許文献１参照）。
【０００３】
図３は、特許文献１に記載された従来の固体高分子型燃料電池の単位電池構成分解斜視図を示したものである。図３に示すように、電極電解質膜接合体１と、アノード側導電性セパレータ板２と、燃料ガスを供給排出するための流通溝３と、カソード側導電性セパレータ板４と、酸化ガスを供給排出するための流通溝５と、冷却水側導電性セパレータ板６から構成されている。
【特許文献１】特開２０００−２９４２５４号公報
【発明の開示】
【発明が解決しようとする課題】
【０００４】
しかしながら、上記従来の構成では、アノード側導電性セパレータ板２、カソード側導電性セパレータ板４、冷却水側導電性セパレータ板６の外周形状は同一であり、セル積層時にアノード側導電性セパレータ板２、カソード側導電性セパレータ板４、冷却水側導電性セパレータ板６の誤組立の危険性が高く、また、積層後においては外観で誤組立を見つけることが難しいという課題を有していた。
【０００５】
本発明は、上記従来の課題を解決するもので、複数種類の導電性セパレータの角部にＣカットを施したり、複数種類の導電性セパレータの大きさを異なるようにすることによって、複数種類の導電性セパレータを外観で区別することを可能とした固体高分子型燃料電池を提供することを目的とする。
【課題を解決するための手段】
【０００６】
上記従来の課題を解決するために、本発明の固体高分子型燃料電池は、固体高分子膜の両面に触媒層を含む一対の電極をそれぞれ配置してなる電極電解質膜接合体と、前記電極電解質膜接合体を挟持する複数種類の導電性セパレータ板より成る単位電池を複数積層した構成で、複数種類の前記導電性セパレータ板の外周部形状を、それぞれ異なるようにしたものであり、これによって、複数種類の導電性セパレータを外観で区別することを可能となる。
【発明の効果】
【０００７】
本発明の固体高分子型燃料電池は、導電性セパレータ板の識別が可能となり、誤組立を防止することができる。
【発明を実施するための最良の形態】
【０００８】
請求項１に記載の発明は、固体高分子膜の両面に触媒層を含む一対の電極をそれぞれ配置してなる電極電解質膜接合体と、前記電極電解質膜接合体を挟持する複数種類の導電性セパレータ板より成る単位電池を複数積層した構成で、複数種類の前記導電性セパレータ板の外周部形状を、それぞれ異なるようにすることにより、複数種類の導電性セパレータ板の識別が可能となり、誤組立を防止することができる。
【０００９】
請求項２に記載の発明は、請求項１に記載の発明の前記導電性セパレータ板の角部の形状を、それぞれ異なるようにすることにより、複数種類の導電性セパレータ板の識別が可能となり、誤組立を防止することができる。
【００１０】
請求項３に記載の発明は、請求項２に記載の発明の導電性セパレータ板の角部にＣカットを施し、前記導電性セパレータ板の種類毎にＣカットの数を異なるようにすることにより、複数種類の導電性セパレータ板の識別が可能となり、誤組立を防止することができる。
【００１１】
請求項４に記載の発明は、請求項１に記載の発明の導電性セパレータ板の大きさを、それぞれ異なるようにすることにより、複数種類の導電性セパレータ板の識別が可能となり、誤組立を防止することができる。
【００１２】
以下、本発明の実施の形態について、図面を参照しながら説明する。なお、この実施の形態によってこの発明が限定されるものではない。
【００１３】
（実施の形態１）
図１は、本発明の実施の形態１における固体高分子型燃料電池の単位電池構成分解斜視図を示すものである。
【００１４】
図１において、電極電解質膜接合体１１は高分子電解質膜の両面に白金系の金属触媒を担持したカーボン粉末を主成分とする触媒反応層とこの触媒反応層の外面に燃料ガスである水素ガスや酸化ガスである酸素や空気の通気性と電子導電性を併せ持つ拡散層より形成される。アノード側導電性セパレータ板１２は燃料ガスを供給排出するための流通溝１３を有し、カソード側導電性セパレータ板１４は酸化ガスを供給排出するための流通溝１５を有し、冷却水側導電性セパレータ板１６は冷却水が流動するための流通溝１７を有する。
【００１５】
電極電解質膜接合体１１は、アノード側導電性セパレータ板１２とカソード側導電性セパレータ板１４と冷却水側導電性セパレータ板１６で挟持され単位電池を形成する。また、電極電解質膜接合体１１、アノード側導電性セパレータ板１２、カソード側導電性セパレータ板１４、冷却水側導電性セパレータ板１６には、燃料ガス、酸化ガス、冷却水の供給用の孔１１ａ、１１ｂ、１１ｃ、１２ａ、１２ｂ、１２ｃ、１４ａ、１４ｂ、１４ｃ、１６ａ、１６ｂ、１６ｃと排出用の孔１１ｄ、１１ｅ、１１ｆ、１２ｄ、１２ｅ、１２ｆ、１４ｄ、１４ｅ、１４ｆ、１６ｄ、１６ｅ、１６ｆを構成している。
【００１６】
以上のように構成された固体高分子型燃料電池について、以下その動作、作用を説明する。
【００１７】
まず、電極電解質膜接合体１１の一方の面に燃料ガス、他の面に酸化ガスが流れることで、電気化学反応により、電気が発生する。電気化学反応により発生した熱は冷却水により冷却され、電極電解質膜接合体１１の温度を一定に保つことができる。
【００１８】
以上のように、本実施の形態においては、これら単位電池を１０〜２００セル積層した後、集電板と絶縁板を介し、端板でこれを挟み、締結ボルトで両端から固定する構造とすることにより、アノード側導電性セパレータ板１２の角部１８と、カソード側導電性セパレータ板１４の角部１９，２０にＣカットを施すこととなり、アノード側導電性セパレータ板１２、カソード側導電性セパレータ板１４、冷却水側導電性セパレータ板１６とを外観で区別することができ、組立時の誤組立を防止しするとともに、組立後の誤組立を発見することが容易となる。
【００１９】
（実施の形態２）
図２は、本発明の実施の形態２における固体高分子型燃料電池の要部断面図である。
【００２０】
実施の形態１と同様の構成であるが、図２において、アノード側導電性セパレータ板１２、カソード側導電性セパレータ板１４、冷却水側導電性セパレータ板１６の大きさを順次大きく構成している。
【００２１】
以上のように構成された個体高分子型燃料電池について、構成が実施の形態１と同様であるため、その動作、作用もまた実施の形態１と同様となる。
【００２２】
本実施の形態においては、アノード側導電性セパレータ板１２、カソード側導電性セパレータ板１４、冷却水側導電性セパレータ板１６とを外観で完全に区別することができることとなり、組立時の誤組立を防止しするとともに、組立後の誤組立を容易に発見することができる。
【産業上の利用可能性】
【００２３】
以上のように、本発明にかかる固体高分子型燃料電池は、導電性セパレータ板の識別が可能となり、誤組立を防止することが可能となるので、ポータブル電源、電気自動車用電源、家庭内コージェネシステム等に使用する高分子電解質を用いた燃料電池等の用途にも適用できる。
【図面の簡単な説明】
【００２４】
【図１】本発明の実施の形態１における固体高分子型燃料電池の単位電池構成分解斜視図
【図２】本発明の実施の形態２における固体高分子型燃料電池の要部断面図
【図３】従来の固体高分子型燃料電池の単位電池構成分解斜視図
【符号の説明】
【００２５】
１１  電極電解質膜接合体
１２  アノード側導電性セパレータ板
１４  カソード側導電性セパレータ板
１６  冷却水側導電性セパレータ板
１８，１９，２０  角部
【図１】
2006210211.tif 000003
【図２】
2006210211.tif 000004
【図３】
2006210211.tif 000005